(57)【要約】      （修正有）【課題】小型、軽量で、１人で、容易に装着でき繰出し作業が出来るようにしたドラムローラーの提供。【解決手段】従来のドラムローラーのローラー部分の機能を、従来から市販されている脚立に装着出来る構造と合体させる事で、従来のドラムローラーのフレーム部分を脚立が賄う為ローラー部だけで良く、小型化、軽量化できる。また、フレームとなる脚立であるが、工事業者などは常備しているので特別の出費とはならない。本発明を従来の市販されている脚立に装着し、ドラムを持ち上げる時に、テコの原理が応用出来る為一人で容易にドラムを装着出来る。【選択図】図１
2007210794.tif 000002
【特許請求の範囲】
【請求項１】
ローラー２個を配し、そのローラーを支持する架台で固定し、それを本体架台と、結合させ、従来から市販されている多種の脚立に取付可能な構造を持ち、これを２台で１組として使用し、ドラムに巻装してある、電線、ワイヤー、ロープ等を、繰り出す事が出きるドラムローラー。
【請求項２】
ドラムの横ズレ防止機能を、取付る事もできる構造を持つ事を特徴とする請求項１のドラムローラー
【請求項３】
前記、請求項１〜２のドラムローラーと従来から市販されている脚立を使いドラムを繰出可能な状態にするまでの方法。
【発明の詳細な説明】
【技術分野】
【０００１】本発明は、ドラムに巻装されている、電線、ワイヤー、ロープ等を繰り出す作業に使用する道具、ドラムローラーに関する。
【背景技術】
【０００２】一般に、ドラムローラーは、電気工事等で、使用されドラムに巻装されている電線の延線作業に使用されている。図９、図１０、の様に、ドラム本体の中心孔に管を貫通させ、ドラム本体の両側から貫通させた管を持ち上げる事により、ドラムが宙に浮き、管との接触面にローラーを配しているためドラムを回転する事ができる。【０００３】一般に、ドラムローラーは、ドラムを回転させる以外の使い方は、されていない。
【発明の開示】
【発明が解決しようとする課題】
【０００４】従来のドラムローラーは、金属製のため、重量も重く構造も大きいため、自動車への積込時や、建設現場への搬入時などに労力を要する。【０００５】従来のドラムローラーは、１人でドラムをドラムローラーに装着するには労力がいる。
【課題を解決するための手段】
【０００６】本発明は、従来のドラムローラーのローラー部分を、従来から市販されている多種、多様な脚立に取付可能な構造を備える。
【発明の効果】
【０００７】本発明は、従来から市販されている、多種、多様の脚立に装着できる構造を持つ事で、従来のドラムローラーのフレーム部分を脚立で賄う事が出来、従来のドラムローラーのローラー部分だけで良い、その為、構造も小さく軽い為、自動車への積み込み時や、建設現場への般入時など少ない労力で済む。また、ローラーのフレーム部分となる脚立であるが工事業者などは、常備しており、建設現場等では、常に使用する物で本発明を利用する為に、わざわざ購入しなくても良い。【０００８】本発明は、構造が小さく単純な為、安価で提供できる。【０００９】本発明を、従来の市販の脚立に装着し、ドラムを繰り出し可能状態にする際にテコの原理が応用出来る為、一人でもドラムを繰り出し可能状態に出来る。
【発明を実施するための最良の形態】
【００１０】以下、本発明の実施の形態を図面に基づき詳細に説明する。【００１１】図１〜図３は、本発明の構造を示す物であり、図１は、側面図、図２は平面図、図３は、正面図、となり、本発明は、これを２台で１組として使用するものである。図１の、ローラー２個を配している上に、ドラムの中心孔を貫通させた管を乗せる事によりドラムが回転し、ドラムに巻装された物が繰り出せる。【００１２】図２−１１．は、従来の市販の脚立の縦フレーム部に差し込む様になっておりこれにより本発明の横ズレを防止している
図２−５、６、のチェーンを従来の市販の脚立の足掛部に回し、図２、のボルトに引掛け、図２−７、８、のナットを締める事で、チェーンが引っ張られ本発明が従来の市販の脚立の足掛部に固定できる。【００１３】図３−１、の空洞は、市販の脚立の中には、足掛部が平らではなく、蒲鉾状に隆起した物も有り、それに対応できる様空洞となっている。また本発明は、全長も短いため、足掛部の短かい丈の低い脚立にも対応できる。
本発明は、チェーンで本発明本体を固定するので色々な形状の足掛部に固定できる。【００１４】図３−２、は、ドラムの横ズレを防止するローラーとなっており、図３、−３、のパイプと結合している。この図３、−３、はスライド機能を持っているため多様のサイズのドラムの横ズレを防止できる。（図６）【００１５】図４〜図６は、本発明を従来の市販されている脚立の足掛部に装着した姿図である。【００１６】図７、は従来から市販されている脚立に、本発明を装着し且つドラムを装着した姿図である。本発明を、図７、の様に脚立の足掛け部の端に装着する事で、ドラムの重心が脚立の端になり、ドラムの回転する方向（電線が引っ張られる方向）に対しての脚立の安定が良い。【００１７】図８、本発明の使い方を示した図である。まず、ドラムの半径より高い位置の足掛部（ドラムを装着した時に、ドラムを宙に浮かせる為）の端にローラー部が外側に来る様左右に１台づつ本発明を装着する。（図８−ａ）次に本発明を装着した脚立を足を開いた状態で横に倒おし、脚立の開いてあるスペースにドラムを転がし入れ、ドラムの中心孔が本発明と同じ位置になる様にする。次にドラム支持用の管をドラムの中心孔に貫通させる（図８−ｂ）次に、脚立の天板を持ち脚立を押し上げる。（図８−ｃ）この時に、床面と接している脚立の足の部分が支点、本発明のローラー部が作用点、脚立の天板が力点となり、テコの原理が応用でき、少ない労力で、ドラムを繰り出し可能な状態にできる。（図８−ｄ）
【図面の簡単な説明】
【００１８】
【図１】本発明の側面図である
【図２】本発明の平面図である
【図３】本発明の正面図である
【図４】本発明を、従来から市販されている脚立の足掛部に、装着した姿図である。
【図５】本発明を、従来から市販されている脚立の足掛部に装着した時の足掛部の断面を示した図である。
【図６】本発明を、従来から市販されている脚立の足掛部に装着し、ケーブルドラムを本発明上に乗せた図である。
【図７】本発明を、従来から市販されている脚立に装着し、ドラムを繰り出し可能な状態にした時の姿図である。
【図８】本発明を、利用し、ドラムを繰出し可能な状態にするまでの方法を示した図である。
【符号の説明】
【００１９】１、２…回転ローラー
３、…回転ローラー支持架台
４、…本体
５、６、…本体固定用チェーン
７、…本体固定用チェーン締めナット
９、…ドラム横ズレ防止ローラー、調整パイプ固定ネジ
１０、…ドラム横ズレ防止ローラー支持パイプ
１１、…
【図１】
2007210794.tif 000003
【図２】
2007210794.tif 000004
【図３】
2007210794.tif 000005
【図４】
2007210794.tif 000006
【図５】
2007210794.tif 000007
【図６】
2007210794.tif 000008
【図７】
2007210794.tif 000009
【図８】
2007210794.tif 000010
【図９】
2007210794.tif 000011
【図１０】
2007210794.tif 000012
【手続補正書】
【提出日】平成18年4月20日(2006.4.20)
【手続補正１】
【補正対象書類名】明細書
【補正対象項目名】００１８
【補正方法】変更
【補正の内容】
【００１８】
【図１】本発明の側面図である。
【図２】本発明の平面図である。
【図３】本発明の正面図である。
【図４】本発明を従来から市販されている脚立の足掛部に装着した姿図である。
【図５】本発明を従来から市販されている脚立の足掛部に装着した時の足掛部の断面を示した図である。
【図６】本発明を従来から市販されている脚立の足掛部に装着し、ケーブルドラムを本発明上に乗せた図である。
【図７】本発明を従来から市販されている脚立に装着し、ドラムを繰り出し可能な状態にした時の姿図である。
【図８】本発明を利用し、ドラムを繰り出し可能な状態にするまでの方法を示した図である。
【図９】従来から一般に市販され、利用されているドラムローラーにケーブルドラムを装着した時の正面図である。
【図１０】従来から一般に市販され、利用されているドラムローラーにケーブルドラムを装着した時の側面図である。
【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
ドラムに巻装された、電線、ワイヤー、ロープ等を繰り出す事が出来るドラムローラーであって、従来から一般に市販されている多種多様の脚立に装着出来る構造を持つ事を特徴とするドラムローラー
【請求項２】
ドラムの横ズレ防止装置を取付ける事が出来る構造を持つ事を特徴とする請求項１記載のドラムローラー
【請求項３】
前記請求項１のドラムローラーを従来から一般に市販されている脚立に装着しドラムを繰出し可能な状態にするまでの方法
【手続補正書】
【提出日】平成18年5月31日(2006.5.31)
【手続補正１】
【補正対象書類名】明細書
【補正対象項目名】００１２
【補正方法】変更
【補正の内容】
【００１２】図１〜図３において、本発明を従来から市販されている脚立の足掛け部に置き、５、６のチェーンを脚立の足掛け部に巻き付け７、８の先端部のボルトフック部に引っ掛けて、７、８のナットを締める事でチェーンが引っ張られ、本発明を、従来から市販されている脚立の足掛け部に固定する事が出来る。
【手続補正書】
【提出日】平成18年5月31日(2006.5.31)
【手続補正１】
【補正対象書類名】明細書
【補正対象項目名】００１３
【補正方法】変更
【補正の内容】
【００１３】図３、本発明の本体架台下部の空洞は、市販の脚立の中には足掛け部が平らではなく、蒲鉾状に隆起した物も有りそれに対応できる様空洞となっている。また本発明は、全長も短い為、丈の低い脚立にも対応できる。本発明は、チェーンで本発明本体を固定するので色々な形状の足掛け部に固定する事が出来る。
【手続補正書】
【提出日】平成18年5月31日(2006.5.31)
【手続補正１】
【補正対象書類名】明細書
【補正対象項目名】００１４
【補正方法】変更
【補正の内容】
【００１４】図１〜図３において、１１、はドラムの横ズレを防止するローラーとなっており１０、と結合している。１０、はスライド機能を持っているため多様のサイズのドラムの横ズレを防止できる。
【手続補正書】
【提出日】平成18年5月31日(2006.5.31)
【手続補正１】
【補正対象書類名】明細書
【補正対象項目名】００１９
【補正方法】変更
【補正の内容】
【符号の説明】
【００１９】
１、２  ・・・    回転ローラー
３、    ・・・    回転ローラー支持架台
４、    ・・・    本体
５、６  ・・・    本体固定用チェーン
７、８  ・・・    本体固定用チェーン締めナット
９、    ・・・    ドラム横ズレ防止ローラー支持パイプ固定ネジ
１０、  ・・・    ドラム横ズレ防止ローラー支持パイプ
１１、  ・・・ドラム横ズレ防止ローラー
【手続補正書】
【提出日】平成18年5月31日(2006.5.31)
【手続補正１】
【補正対象書類名】図面
【補正対象項目名】図２
【補正方法】変更
【補正の内容】
【図２】
2007210794.tif 000013
【手続補正書】
【提出日】平成18年5月31日(2006.5.31)
【手続補正１】
【補正対象書類名】図面
【補正対象項目名】図３
【補正方法】変更
【補正の内容】
【図３】
2007210794.tif 000014